(57)【要約】【課題】  情報処理装置の平面表示器を、正面から一人で安全かつ容易に取り外し、または装着することのできる表示器取付け機構を提供すること。【解決手段】  取付部材５０の挿入口近くにストッパ９０を設ける。ストッパ９０は、ストッパ保持部２２により保持されており、平面表示器の摺動経路を遮る停止位置（図１６の位置）と、停止位置から下方に移動して摺動経路を開放する解除位置に移動可能である。ロック解除蓋８０が閉じているときには、ロック解除蓋８０の裏面に設けられているロック部材８１が解除レバー９１の下部に当接しているため、ストッパ９０は下方に移動することはできない。ロック解除蓋８０を開けると、ロック解除蓋８０が時計周りに回転してロック部材が外れ、ストッパ９０を下方に移動させることが可能となる。解除レバーを下方に移動させるとストッパ９０は解除位置に移動し、平面表示器３０を取り外すことが可能となる。【選択図】  図１６
2006317738.tif 000002
【特許請求の範囲】
【請求項１】
平面表示器を、装置本体の前面上部に設けられた表示器取付部の湾曲窪み部に沿って摺動可能に保持する情報処理装置の表示器取付け機構であって、
前記湾曲窪み部の一端に設けられ、前記平面表示器の摺動経路を遮る停止位置と前記摺動経路を開放する解除位置の２点間を往復移動可能なストッパと、
前記ストッパを、前記停止位置と前記解除位置間において往復移動可能に保持するストッパ保持部と、
前記装置本体の正面から開閉可能なロック解除蓋と、
前記ロック解除蓋の裏面に設けられ、該ロック解除蓋が閉じているときには前記ストッパと当接して前記ストッパの前記解除位置への移動を阻止し、前記ストッパが前記解除位置にあるときには、前記ストッパとぶつかり前記ロック解除蓋を閉じることを阻止するロック部材と、
を備えることを特徴とする表示器取付け機構。
【請求項２】
前記ストッパ保持部は、前記ストッパを前記停止位置から前記解除位置の２つの位置に案内し、前記ストッパを移動した位置に保持する保持部を備えることを特徴とする請求項１に記載の表示器取付け機構。
【請求項３】
前記ストッパ保持部は、前記ストッパの前記解除位置または前記停止位置への移動を制限する弾性部材を備え、前記ストッパは前記解除位置または前記停止位置への移動の際に前記弾性部材を弾性変形させて移動することを特徴とする請求項２に記載の表示器取付け機構。
【請求項４】
前記ロック部材は、前記ロック解除蓋を閉じるときに、前記ストッパと係合して前記ストッパを押し上げる傾斜面を備えており、前記解除蓋が閉じられたときに、前記傾斜面により前記ストッパを前記停止位置まで押し上げて前記ストッパの前記解除位置への移動を阻止することを特徴とする請求項１から３のいずれか１項に記載の表示器取付け機構。
【発明の詳細な説明】
【技術分野】
【０００１】
本発明は、ホスト装置を内蔵する装置本体の正面に平面表示器を湾曲窪みに沿って摺動可能に保持しており、表示器を摺動させることによりチルト角の調整が可能な情報処理装置に関するものであり、特に、平面表示器を安全かつ容易に取り外したり装着したりすることができる表示器取付け機構に関するものである。
【背景技術】
【０００２】
ＰＣ、ＰＯＳ端末、電子式金銭登録機（電子レジスタ）等の情報処理装置は、近時、液晶表示器、プラズマディスプレイ等の大型の平面表示器を備えるものが多くなっている。特に、ホスト装置を内蔵する装置本体に平面表示器が取り付けられた情報処理装置においては、操作者が画面を見ながら操作できるように装置本体の正面に平面表示器が設けられており、また、操作者が画面を見やすいように平面表示器の角度を調整するためのチルト機構を備えているものもある。
【０００３】
例えば、特許文献１には、装置本体（筐体）の正面中央に湾曲窪み部を設け、該湾曲窪み部に平面表示部を嵌合させて、平面表示部を湾曲面に沿って摺動させることにより、チルト角を調整する構造が開示されている。適切なチルト角が決まると、平面表示器はボルトにより筐体に固定される。このように湾曲窪み部に嵌合固定することにより、平面表示器が装置本体に対して一体的に固定されて安定するとともに、全体の外観もデザイン的に一体的な安定感を有するものとなる。
【０００４】
【特許文献１】特開平１０−１７７６８１号公報
【発明の開示】
【発明が解決しようとする課題】
【０００５】
しかし、特許文献１に記載の構造では、装置本体のカバーを開けて背面から平面表示器のボルトを緩めてチルト角の調整を行い、チルト角の調整後にボルトを締めて固定する必要があるため、簡単にチルト角の変更を行うことができない。また、このように、ボルト等により平面表示器を固定する構造では、チルト角の調整中に平面表示器が落下するおそれもある。さらに、例えば、ＰＯＳ端末装置等は、店舗面積の効率的な利用、店舗デザインの観点から、ＰＯＳ端末装置を縦置きまたは横置きのいずれでも選択的に配置できることが望ましいが、横置きから縦置きまたは縦置きから横置きに変更する場合には、平面表示器の上下の向きを変更することが必要となるために、平面表示器を安全かつ容易に着脱できることが求められる。
【０００６】
本発明はこのような従来技術の問題に鑑みてなされたものであり、装置本体に平面表示器を一体的にとりつけた情報処理装置において、平面表示器のチルト角を安全かつ簡単に調整でき、かつ、平面表示器を安全かつ容易に着脱可能な表示器取付け機構を提供することを目的とする。
【０００７】
本発明の他の目的は、特別な道具を用いることなく、装置本体の前面から道具を使用することなしに、平面表示器を安全かつ簡単に着脱可能な表示器取付け機構を提供することを目的とする。
【課題を解決するための手段】
【０００８】
本発明は、平面表示器の滑落を防止するストッパと、開閉することによりストッパの移動をロックしまたはロックを解除するロック解除蓋とを設け、ロック解除蓋を開けるだけでストッパを解除位置に移動できるようにした。これによりロック解除蓋を開けるだけで、ストッパを解除位置に移動することができ、平面表示器を着脱することが可能となる。また、ストッパを停止位置に戻さなければロック解除蓋を閉めることができないよう構成して、ストッパの停止位置への戻し忘れを防止する。これにより、操作者が正面から道具を使用せずに、ストッパを解除でき、平面表示器の取り外し及び交換を可能とした。チルト角度は、ストッパを外すことなく調整可能である。
【０００９】
本発明の第１の態様にかかる表示器取付け機構は、平面表示器を、装置本体の前面上部に設けられた表示器取付部の湾曲窪み部に沿って摺動可能に保持する情報処理装置の表示器取付け機構であって、湾曲窪み部の一端に設けられ、平面表示器の摺動経路を遮る停止位置と摺動経路を開放する解除位置の２点間を往復移動可能なストッパと、ストッパを、停止位置と解除位置間において往復移動可能に保持するストッパ保持部と、装置本体の正面から開閉可能または着脱可能なロック解除蓋と、ロック解除蓋の裏面に設けられ、該ロック解除蓋が閉じているときにはストッパと当接してストッパの解除位置への移動を阻止し、ストッパが解除位置にあるときには、ストッパとぶつかりロック解除蓋を閉じることを阻止するロック部材とを備えることを特徴とする。
【００１０】
この態様によると、平面表示器の挿入口を遮蔽するようにストッパが設けられているので、チルト角の調整時に誤って平面表示器を滑落させることを防止することができる。また、装置正面からロック解除蓋を開閉できるので、正面からストッパのロックを解除しストッパを挿入口から退避させることができる。これにより、情報処理装置のカバーを開けることなく、また特別な道具を使用することなく正面から一人で簡単にストッパを解除することができ、平面表示器の取り外し及び交換をすることが可能となる。また、チルト角度は、ストッパを外すことなく調整することが可能となる。
【００１１】
本発明の他の態様にかかる表示器取付け機構は、ストッパ保持部が、ストッパを停止位置から解除位置の２つの位置に案内し、ストッパを移動した位置に保持する保持部を備えることを特徴とする。この態様では、ストッパ保持部がストッパを停止位置と解除位置のいずれかの位置に保持する。これにより、ストッパを解除位置に移動させると、ストッパは解除位置に保持されるので、平面表示器の取り外し又は装着のために両手を使用することができる。
【００１２】
本発明の他の態様にかかる表示器取付け機構は、ストッパ保持部が、ストッパの解除位置または停止位置への移動を制限する弾性部材を備え、ストッパは解除位置または停止位置への移動の際に弾性部材を弾性変形させて他の位置へ移動することを特徴とする
【００１３】
この態様は、ストッパが他の位置へ移動するのを弾性部材により制限しておき、その弾性力に抗して弾性部材を変形させて他の位置に移動させるものである。これにより、弾性変形させるような一定以上の力が加わらない限り、ストッパは移動された位置に保持される。
【００１４】
本発明の他の態様にかかる表示器取付け機構は、前記ロック部材が、前記ロック解除蓋を閉じるときに、前記ストッパと係合して前記ストッパを押し上げる傾斜面を備えており、前記解除蓋が閉じられたときに、前記傾斜面により前記ストッパを前記停止位置まで押し上げて前記ストッパの前記解除位置への移動を阻止することを特徴とする。
【００１５】
この態様は、装置本体の正面から開閉可能または着脱可能なロック解除蓋を閉めるだけで、ロック解除蓋の裏面に設けられたロック部材が、ストッパに対し停止位置に動く方向に力を付勢しストッパを移動させ、自ずとロック状態になるように構成したものである。すなわち、ロック解除蓋が閉じられているときには、ロック解除蓋の裏面に設けられたロック部材がストッパと当接してストッパの解除位置への移動を阻止し、ストッパが解除位置にあるときには、ロック解除蓋を閉じるときに、ロック部材に設けられた傾斜面によりストッパを上方に押し上げて、停止位置まで移動させた状態でロックする。これにより、ロック解除蓋を閉めるときにストッパを停止位置に戻さなくとも、ロック解除蓋を閉めるだけで、ストッパを停止位置に戻すことができ、ストッパの戻し忘れを防止することができる。
【発明の効果】
【００１６】
本発明によると、平面表示器が滑落するのを防止するストッパと、ストッパのロック機構とを設けて安全にチルト角の調整ができるようにするとともに、装置の正面側から開閉可能なロック解除蓋を開けることにより、ストッパのロックを外してストッパを解除できるようにした。これにより、情報処理装置の正面から、道具を使用せずに簡単に平面表示器を取り外し、取り付け直すことができる。また、ストッパを停止位置に戻さなければロック解除蓋を閉めることができないようにしたため、または、ロック解除蓋を閉めると自ずとロックが掛かる停止位置にストッパが動くようにしたため、ストッパの戻し忘れを防止することができる。
【００１７】
単にチルト角を調整するだけの場合には、ストッパを外す必要はなく、スライダ操作部を操作して固定爪を退避させるだけで、平面表示器を摺動させることでチルト角の調整ができる。チルト角の調整が終了すると、スライダ操作部を離すことにより固定爪を固定歯に係合固定させて、平面表示器を調整位置に固定することができる。
【発明を実施するための最良の形態】
【００１８】
図面を用いて本発明の最良の実施形態を説明する。以下の説明では、横置き又は縦置きが可能なＰＯＳ端末装置を用いて本発明の一実施形態にかかる表示器取付け機構を説明する。ＰＯＳ端末装置を横置きにまたは縦置きにするかにより、平面表示器の上下の向きを変える必要がでてくる。そのため、平面表示器を安全かつ簡単に取り外すことができる平面表示器の取付け機構が望まれる。
【００１９】
図１は、本発明の一実施形態にかかるＰＯＳ端末装置１０を横置きにした状態を示す斜視図である。図２（ａ）は図１のＰＯＳ端末装置１０の装置本体２０と平面表示器３０（以下単に「表示器３０」と称する）を分離した状態を示す分解斜視図であり、図２（ｂ）は、取付ガイド７２ａの拡大斜視図である。図３は図２（ａ）と同様の状態を斜め下方から見た分解斜視図である。
【００２０】
ＰＯＳ端末装置１０は、ホスト装置及びプリンタ等の装置等が内蔵されている装置本体２０と表示器３０とキーボード４０とを備えている。装置本体２０には、正面上部から奥行き方向に斜めに切り取られた湾曲状の窪み部（湾曲窪み部７１）からなる表示器取付部７０（図２参照）が設けられている。表示器取付部７０の湾曲窪み部７１の表面には、表面から突出するように、２つの取付ガイド７２ａ、７２ｂが左右に設けられている。左右の取付ガイド７２ａ、７２ｂは同じ構造で、左右反対向きに取り付けられている。図２（ｂ）に取付ガイド７２ａの拡大図を示す。図２（ｂ）に示すように、取付ガイド７２ａには、間隔をおいて上下に２つのガイドレール７３ａが設けられている。
【００２１】
２つのガイドレール７３ａは、薄い板状部材が所定の幅で外側に突出した構造となっており、ガイドレール７３ａが取付部材５０の摺動レール５３ａ（図３、及び後述する図５参照）と協働して摺動する。同様に左側の取付ガイド７２ｂにも２つのガイドレール７３ｂが設けられており（図示せず）、ガイドレール７３ｂが取付部材５０の摺動レール５３ｂと協同して摺動する。
【００２２】
また、湾曲窪み部７１の中央には、湾曲窪み部７１の円弧に沿って複数の細かい歯を備える固定歯７４が設けられている。これらの固定歯７４は、後述する固定用爪５６と噛み合って、表示器が摺動することを防止する。尚、図２（ａ）中の２つの縦長の穴７８ａ，７８ｂは、表示器３０等の電源及びデータケーブルを通すケーブル挿通口である。
【００２３】
図３に示すように、表示器３０の裏面には、湾曲窪み部７１と同じ曲率の突型の曲面５１を備える取付部材５０が固定されている。取付部材５０の突型の曲面５１には、摺動レール５３ａ、５３ｂが設けられている。
【００２４】
取付部材５０が表示器３０の裏面に固定された状態で、摺動レール５３ａ、５３ｂが表示器取付部７０のガイドレール７３ａ、７３ｂ（図２（ａ）、図２（ｂ）参照）に摺動可能に取り付けられることにより、図１に示す状態となる。表示器３０は、図１に示すように取り付けられた状態で、湾曲窪み部７１の円弧に沿って摺動可能であり、湾曲窪み部７１の円弧に沿って摺動させることにより、表示器３０は傾斜角（チルト角）を調整することが可能となる。すなわち、表示器３０を上方に摺動させることにより傾斜角度は大きくなり（垂直方向に近づく）、下方に摺動させることにより傾斜角が小さくなる（水平方向に近づく）。
【００２５】
図４は、図１に示すＰＯＳ端末装置１０を底面方向から見た底面斜視図である。装置本体２０の前面下部を示すために、キーボード４０を除いて示している。装置本体２０の前面下部には、ロック解除蓋８０を備えており、ロック解除蓋８０を開くことにより、後述する表示器の滑落を防止するストッパの移動を禁止しているロックを解除する。
【００２６】
（取付部材５０の構造）
図５は、本発明の一実施形態にかかる取付部材５０と、表示器３０の裏面の取り付け位置を例示する分解斜視図である。取付部材５０には左右に２つの摺動溝５２ａと５２ｂが設けられている。摺動溝５２ａと５２ｂには、それぞれ３箇所の切り欠き部５５ａ、５５ｂを備える摺動レール５３ａ及び５３ｂが設けられている。摺動溝５２ａ、５２ｂの内部は、切り欠き部５５ａ、５５ｂと同じ幅の空洞溝となっている。
【００２７】
また、取付部材５０の突型の曲面５１の中央には、先端に数個の歯を備える固定用爪５６が設けられている。取付部材５０が表示器取付部７０に取付けられると、固定用爪５６の先端が固定歯７４と噛み合う。これにより、表示器３０が自由に摺動しないように固定される。
【００２８】
固定用爪５６は、角度調整レバー５９を矢印Ａ方向に移動させることにより内側に退避させることができる。図６及び図７を用いて説明する。図６及び図７は、角度調整レバー５９の操作により固定用爪５６を移動させる機構の一例を示す断面図であり、図６は、角度調整レバー５９を移動させていない状態を示す図であり、図７は、角度調整レバー５９を矢印Ａ方向に移動させた状態を示す図である。図６及び図７はいずれも、図をわかり易くするために、説明に必要な断面のみにハッチングを付している。
【００２９】
固定用爪５６は、湾曲窪み部７１の湾曲面に対して法線方向（図６、図７において上下方向）に摺動移動可能に設けられており、固定用爪５６には山形の板バネ４７が固定されている。また、図５及び図６に示す位置（ホームポジション）において、固定用爪５６は退避ロック部材４３の先端に設けられたロック部４６により上から下方に押圧されており、板バネ４７は下方に押されて変形した状態となっている。板バネ４７は、板バネ受けリブ４８内を左右に滑動可能に保持されており、押圧されると左右方向につぶれた状態となる。従って、固定用爪５６は、つぶされた板バネ４７により、上方向（内側）に付勢されている。退避ロック部材４３は、バネ支持軸４４に保持されたコイルバネ４５により、板バネ４７より強い力で図６の左方向に付勢されている。従って、外部からの力が加わらない限り、図６の状態が維持される。
【００３０】
角度調整レバー５９は、回動支点４１を中心に回動可能に取り付けられている。従って角度調整レバー５９を矢印Ａ方向に回動させると、作用端部４２がコイルバネ４５に逆らって退避ロック部材４３を矢印Ｄ方向に移動させる。これによりロック部４６が矢印Ｄ方向に移動し、固定用爪５６が上方に移動することが可能となる。従って固定用爪５６は、板バネ４７の弾性力により上方に持ち上げられる。図７は、角度調整レバーを引き上げ、固定用爪５６が上側（内部）に退避した状態を示している。この状態において、角度調整レバー５９から手を離すと、コイルバネ４５の力により角度調整レバー５９は元のホームポジションに戻る。その際、退避ロック部材４３のロック部４６が図７の左方向に移動し、ロック部４６の左側の斜面により、板バネ４７の弾性力に逆らって、固定用爪部５６を下方に押し下げる。
【００３１】
上述したように、角度調整レバー５９がロック位置（図５の位置）にあるときには、固定用爪５６は内側に退避しないようにロック部４６によりロックされている。この状態では、固定用爪５６と固定歯７４とが噛み合っているので、ガイドレール７３ａ、７３ｂと摺動レール５３ａ、５３ｂとが摺動できず、表示器は所定の角度に維持される。表示器３０と角度調整レバー５９を掴むことにより角度調整レバー５９を握る向きに力を加えると、固定用爪５６が内側に退避する。これにより、ガイドレール７３ａ、７３ｂと摺動レール５３ａ、５３ｂとが摺動可能となり、表示器の角度を調整が可能となる。角度調整レバー５９の手を放すと固定用爪５６が外側に突出した状態でロックされるので、スライドはできなくなり、表示器は調整した角度に維持される。
【００３２】
（取付部材５０の表示器３０への取付け位置について）
取付部材５０は、ねじ５７ａ〜５７ｄにより表示器３０の裏面に固定される。表示器３０に取付部材５０を固定することにより、取付部材５０を介して表示器３０を、装置本体の表示取付部７０に取付けることができる。以下、取付部材５０が表示器３０に取り付けられた状態の表示器を「表示ユニット」と称する
【００３３】
再度図２及び図５を参照して、取付部材５０を取り付ける表示器取付部７０の構造について説明する。表示器取付部７０は、縦置き及び横置きのいずれの場合にも、装置本体２０の正面の上部となる位置に、筐体構造の一部として設けられる。表示器取付部７０は、断面が円弧状の湾曲面からなる窪み部７１を備え、窪み部７１の中に取付部材５０の摺動レール５３ａ、５３ｂと協働する取付ガイド７２ａ、７２ｂが設けられている。
【００３４】
取付部材５０は、ねじ５７ａ〜５７ｄにより表示器３０の裏面に固定される。ねじ５７ａ〜５７ｄは、取付部材５０の貫通孔５８ａ〜５８ｄに挿入された後、表示器３０の裏面のねじ穴３２ａ〜３２ｄまたはねじ穴３３ａ〜３３ｄに固定される。取付部材５０は、ＰＯＳ端末装置１０を横置きにする場合には、ねじ穴３３ａ〜３３ｄに固定され、縦置きにする場合にはねじ穴３２ａ〜３２ｄに固定される。
【００３５】
縦置きまたは横置きに応じて、取付部材の固定位置を変更する理由を図８及び図２１を用いて説明する。図８は装置本体２０を横置きにした場合のＰＯＳ端末装置１０の側面図であり、図２１は縦置きした場合のＰＯＳ端末装置１０の側面図である。図８，図２１に示すように、表示器３０の上下方向（縦方向）の長さが取付部材５０の長さ（端部６０から端部６１までの弦の長さ）よりも大きい場合には、表示器３０のいずれか一方の端部３４，又は端部３５に、取付部材５０の端部６０、６１を揃えなければならない。表示器の端部３４、又は端部３５が取付部材５０よりも突出していると、表示器の端部３４、３５が表示器取付部７０の端部７６、７７、または湾曲窪み部７１の表面と緩衝するため、取付部材５０を表示器取付部７０に取り付けること及び、湾曲窪み部７１に沿って摺動させることができない。
【００３６】
従って、表示ユニットを表示器取付部７０に取付け及び摺動を可能にするためには、表示器３０の端部３４、３５が表示器取付部７０と緩衝しないように、表示器の少なくとも一つの端部３４、３５を取付部材５０の端部６０、６１側に寄せる必要がある。この際、取付部材５０を表示器３０のいずれか一つの端部７６または７７に固定してしまうと、縦置きと横置きにより、表示器３０の上下が逆様に取り付けられてしまうことになる。このような事態を避けるため、本発明では、縦置きの場合、横置きの場合に応じて、取付部材５０の固定位置をそれぞれ表示器の反対の端部側に移動させるようにしている。
【００３７】
このように取付部材５０の取付位置を変更可能とすることにより、以下のような効果を得ることができる。ＰＯＳ端末装置１０を横置きにする場合、装置本体２０の高さが低く表示器３０の位置が低くなるため、図６に示すように表示器３０を大きく寝かせた状態で使用することが多い。一方、図７に示すように、縦置きにした場合には、表示器３０の位置が比較的高くなるので、図７に示すように、表示器３０を立てた状態で使用することが多い。本発明によると、横置きのときに、取付部材５０を上端３４の近くに固定することにより、表示器３０を水平方向への調整範囲を広げ、縦置きの場合には、表示器の下端３５近くに取付部材５０を固定することにより、表示器３０を垂直方向への調整範囲を広げることができる。
【００３８】
（装置本体への表示ユニットの取り付け方法）
図２、図３、図５、図８、図９及び図２１を用いて、表示器３０の装置本体３０に対する取付方法について説明する。図９は横置きにしたＰＯＳ端末装置１０を摺動レール５３ａ及びガイドレール７３ａ部分を通る面で切断した状態を示す縦断面図である。図８及び図２１からわかるように、表示器取付部７０は、装置本体２０が縦置き及び横置きのいずれの場合でも、装置本体２０の正面の上部となる位置に、筐体構造の一部として設けられる。これにより、表示器３０は、縦置き横置きのいずれの場合であっても、装置本体２０の前面上部に取り付けることが可能となる。
【００３９】
表示ユニットは、表示器取付部７０の取付ガイド７２ａ、７２ｂの間の隙間７５（図２（ｂ）参照）に摺動レール５３ａ、５３ｂを嵌め込むように挿入することにより、表示器取付部７０に取り付けられる。摺動レール５３ａ、５３ｂを挿入した後、摺動レール５３ａ、５３ｂとガイドレール７３とが噛み合うように表示ユニット全体を上方にスライドさせることにより、表示ユニットはガイドレール７３に沿って摺動可能に取付けられる。
【００４０】
表示器３０は、縦置き及び横置きのいずれの場合も、上端３４が上になり下端３５が下になるように取り付けられる。表示器３０の装置本体２０への取り付けは、縦置き及び横置きのいずれの場合も、表示器取付部７０の取付ガイド７２ａ、７２ｂに対して、表示器取付部７０の端部７６の近傍で、図８、図２１の矢印Ｂ方向から表示器３０に固定された取付部材５０の摺動レール５３ａ、５３ｂを取付ガイド７２ａ，７２ｂの中に挿入することにより行う（結果的に、横置きの場合は下から挿入し、縦置きの場合には上から挿入することになる）。挿入後、図８、図２１のＣ方向へスライドさせることにより、後述する図９、図１０に示すように、レール同士（ガイドレール７３ａ、７３ｂ、摺動レール５３ａ、５３ｂ）が係合する。このように、縦置きまたは横置きにかかわらず、常に表示器３０の上下が反転しないように取り付けることにより、縦置き横置きに応じて表示内容を逆転させる必要がなくなり、複雑な表示制御が不要となる。また、表示器３０に操作キーを取り付ける場合にも、縦置き横置きに応じて操作キーの位置をまたは向きを変更する必要がないという利点を有する。
【００４１】
（取付部材の摺動動作について）
図９乃至図１２を用いて、表示ユニットが取付けられたときの表示器取付部７０と取付部材５０の摺動機構について説明する。図９は横置きにしたＰＯＳ端末装置１０を摺動レール５３ａ及びガイドレール７３ａ部分を通る面で切断した状態を示す縦断面図であり、図１０はその部分拡大図である。図１１は、横置きにしたＰＯＳ端末装置１０を固定用爪５６及び固定歯７４を通る面で切断した状態を示す縦断面図であり、図１２はその部分拡大図である。図９、図１０に示すように、取付部材５０の摺動レール５３ａは上下のガイドレール７３ａの間に挿入されており、ガイドレール７３ａの間を上下に摺動可能である。反対側にも同様の構造の摺動レール５３ｂ、及びガイドレール７３ｂが設けられている。
【００４２】
図１１及び図１２は、中央部分に設けられている固定歯７４と固定用爪５６の関係を示す。図１１及び図１２は、固定用爪５６の先端が固定歯７４と噛み合い固定された状態を示している。図５に示す、角度調整レバー５９は内部の回動支点４１を中心に矢印Ａ方向に回動可能に設けられ、コイルバネ４５（図６参照）により図５に示す定位置（ホームポジション）に押圧されている。角度調整レバー５９を表示器３０方向に引き寄せることにより矢印Ａ方向に移動させると、固定用爪５６のロックが解除され、固定用爪５６が板ばね４７により内側に移動（退避）する。すなわち、図１２に示す状態から、角度調整レバー５９を図５の矢印Ａ方向に移動させると、固定用爪５６が上方へ移動して、固定用爪５６が固定歯７４から離れる。これにより、ロック用爪による摺動ロックが解除され、角度の調整が可能となる。角度調整レバー５９の手を放すとコイルバネ４５の弾性力により角度調整レバー５９がホームポジション（表示部から離れる方向）に戻り、図１２に示すように固定用爪５６が固定歯７４が噛み合う状態となる。これにより表示ユニットが摺動できないロック状態となる。
【００４３】
以上説明したように、固定用爪５６は角度調整レバー５９が操作されない限り、固定用爪５６の先端が固定歯７４と噛み合い摺動させることができないので、チルト角度は所定の位置に維持される。
【００４４】
（ストッパ及びストッパロックの構造）
図１３乃至図１９を用いて、表示器３０の滑落を防止するストッパ及び通常時にストッパが動くことがないようにストッパの動きをロックしているストッパと、ストッパをロックする構造及び、その動作について説明する。図１３は、図４に示す底面斜視図の状態から、ロック解除蓋８０を開いた状態を示している。図１４は、ロック解除蓋８０の裏面を示す斜視図であり、図１５は、ストッパ９０の斜視図である。図１３に示すように、ロック解除蓋８０を開けると（またはロック解除蓋を取り外すと）、ストッパ９０の解除レバー９１（図１５参照）が露出する。ロック解除蓋８０の裏面には、ロック部材８１、蓋固定用フック８２ａ乃至８２ｃ、及び取付ガイド８３が設けられている。蓋固定用フック８２ａ乃至８２ｃは、ロック解除蓋８０が閉じられたときに、装置本体の筐体に設けられている係合部に係止される。ストッパ９０は、解除レバー９１、停止端９２、及び隆起部９３ａ及び９３ｂを備えている。
【００４５】
図１６は、ストッパ９０が停止位置にある状態を示す部分断面図（端面図）であり、図１７は、ストッパ９０が下方に下げられた解除位置に移動した状態を示す部分断面図（端面図）である、共に図４のＰＯＳ端末装置をＸ−Ｘ’線方向に切断したときの装置本体２０と表示器の前面の一部のみを示している。また、図１８及び図１９では、表示器３０が下方に摺動されて、滑落防止爪６５がストッパ９０の停止端９２に係合して止められている状態を示している。
【００４６】
図１４に示すロック部材８１の先端部には、上方向に傾斜する傾斜面８１ａが設けられており、ロック解除蓋８０が閉じられるときに、この傾斜面８１ａと解除レバー９１の下側端部９１ａとが係合する。ロック解除蓋８０を閉めるためにさらに奥に押し込むと、ロック部材８１の傾斜面８１ａは、解除レバー９１の下側端部９１ａを上方に押し上げながら摺動するため、ストッパ９０全体が上方に押し上げられる。ロック解除蓋８０を完全に閉めると、解除レバー９１の底面がロック部材８１の上面（水平面）に載った状態となり、ストッパ９０は下方へ移動することができない。すなわち、ストッパ９０が停止位置に維持されたロック状態となる。
【００４７】
図１６に示すようにストッパ９０が停止位置にあるときには、表示器３０の下方への摺動はストッパ９０により停止されるので、滑落を防止することができる。また、図１６に示すように、ロック解除蓋８０が閉じられていると、ロック解除蓋８０のロック部材８１が解除レバー９１の下方への移動を阻止しているので、振動等によりストッパ９０が解除位置に移動することはない。
【００４８】
図１７に示すように、ロック解除蓋８０が開けられると、解除レバー９１が露出し、解除レバー９１を下方に押すことにより、ストッパ９０を解除位置に移動させることができる。ストッパ９０が解除位置に移動すると、ストッパ９０の停止端９２が下方に下がるため、滑落防止爪６５が移動する空間ができるので、表示器３０を下方に摺動させて取り外すこと、又は下方から表示器３０を挿入することが可能となる。
【００４９】
また、表示器３０を装着した後は、ストッパ３０を停止位置に戻さなければ、解除レバー９１にロック部材８１が当たり、ロック解除蓋８０を閉じることができない。従って、ストッパを停止位置へ戻し忘れる等の装着ミスを防止することが可能である。
【００５０】
加えて、ロック部材８１の傾斜面８１ａの角度、ストッパ９０を保持する弾性体（後述する２３ａ及び２３ｂ）の弾性力を調整することにより、表示器３０を装着した後に、ロック部材８１を有するロック解除蓋８０を閉じることにより、自ずとストッパ３０が停止位置に戻るようにすることが可能である。この時、ロック部材８１がストッパ９０解除レバーの下に入り込むと、ロック解除蓋８０を外さない限り、ストッパ９０は停止位置から動くことができなくなる。従って、ストッパを停止位置へ戻し忘れる等の装着ミスを防止することが可能である
【００５１】
図１８は、ストッパ９０の取付部分を、図１６のＹ−Ｙ’線方向から切断した状態を示す部分端面図であり、図１９は、図１７のＺ−Ｚ’線方向から切断した状態を示す部分端面図である。ストッパ内部は軽量化のために空洞化されており、複数の補強用リブが設けられている。ストッパ９０の解除レバー９１等の突出部分も、複数の補強用リブにより構成されている。ストッパ９０は、装置本体２０に設けられたストッパ保持部２２により、停止位置及び解除位置間を摺動可能に保持されている。
【００５２】
ストッパ保持部２２は、ストッパ９０を停止位置及び解除位置の２つの位置に保持するため、位置決め弾性片２３ａ、２３ｂを備えている。ストッパ９０は、ストッパ９０が停止位置にあるときには、ストッパ９０の隆起部９３ａ、９３ｂが位置決め弾性片２３ａ、２３ｂよりも上で停止している。ストッパ９０を解除位置に移動させるため、解除レバーを下方に押圧すると、位置決め弾性片２３ａ、２３ｂが撓むことにより隆起部９３ａ、９３ｂが位置決め弾性片２３ａ、２３ｂを通過し、下方に移動する。下方から上方に移動するときも同様である。このようにして、ストッパ９０は停止位置または解除位置のいずれかの位置に保持されることになる。
【００５３】
このように、本発明では、表示器３０をスライドレバー５９の操作のみで摺動可能に構成することにより、固定部品を外すことなくチルト角度を容易に調整することが可能となった。また、ストッパ９０を設けて、スライドレバーの操作により固定用爪５６を固定歯７４から外したときに、表示器３０が下方に滑落することを防止している。ストッパ９０は、装置の前面からアクセス可能な位置に設けられたロック解除蓋８０を開けて、解除レバー９１を下方に押し下げるだけで解除位置に移動することができる。また、ストッパ９０を、ばね等の弾性部材により、解除位置または停止位置の一方向に押圧することなく、２つのいずれかの位置にも停止させることができる。従って、ストッパ９０を片手でいずれかの位置に保持しながら、表示器３０の取り外し又は取付けを行う必要がない。これにより、表示器の着脱を、道具を使用することなく、一人で安全かつ簡単に行うことが可能となる。
【００５４】
次に、図２０乃至図２２を用いて、図１のＰＯＳ端末装置を縦置きにする場合について説明する。図２０は、図１のＰＯＳ端末装置１０を縦置きに設置した状態を示す斜視図であり、図２１はその左側面図、図２２はガイドレール部分の縦断面図である。図１に示すＰＯＳ端末装置１０の装置本体２０に縦置き用補助具２１を取り付けて縦置きにし、表示器取付部７０に表示器３０を上下反転して付け替えることにより、ＰＯＳ端末装置１０を図２０に示すように縦置きに設置することができる。
【００５５】
この際、表示器３０の上下を反転して取り付けなければ、表示画面が上下逆さまとなってしまう。そのため、縦置きの場合には表示器３０を上下逆さまに取り付けなおすことが必要となる。縦置きの場合、表示器３０を横置きの場合と同様に装置本体２０の表示器取付部７０の端部７６側から挿入する。すなわち、縦置きの場合には、装置本体の上部側（矢印Ｂ）から挿入する。縦置きの場合でも、平面表示器３０の裏面に対する取り付け位置が変更されるだけであり、取付部材５０及び表示器取付部７０の構造は変わらない。但し、取付部材５０の向きは、１８０度反転するため、上下対称のレール構造となる。このように、上下対象となるのみで基本構造に変化はないので、横置きの場合の説明と同様に、角度調整レバー５９の操作により平面表示器３０は湾曲窪み部７１に沿って摺動させること、及び固定用爪５６により所定の位置に固定することが可能である。従って、縦置き及び横置きのいずれの場合も、全く同じ取付部材５０及び表示器取付部７０を使用することができ、縦置き、横置きに応じて表示器３０、取付部材５０、表示器取付部７０を交換し、又は新たな部品を取り付ける必要がない。
【００５６】
図２３に本発明の他の実施例にかかるＰＯＳ端末装置１００を底面方向から見た斜視図を示す。ＰＯＳ端末装置１００は、平面表示器１０１に直付けキーボード１０２及びカードリーダ１０３等の入力装置（増設装置）を備えた操作部１０４が固定された表示操作器１０５を備えている。平面表示器１０１の裏面に本発明にかかる取付部材５０（図示せず）が固定される。本発明による取付部材５０及び表示器取付部７０は、縦置き及び横置きのいずれの場合も表示操作器１０５を反転させることなく装置本体２０に取付けることができるので、平面表示器１０１の右側に操作部１０４に固定しておけば常にその位置関係は変わらない。従って、本発明にかかる取付部材及び表示器取付部７０を用いることにより、縦置き横置きのいずれの場合も、同じ表示操作器１０５をそのまま使用することができる。表示器に接続する入力装置として、表示面にタッチパネルを設けることも可能である。
【００５７】
このように、本発明によると、縦置き、横置きいずれの場合であっても、表示器の向きを変えることなく装置本体に取り付けることができる。従って、表示器の横に接続されている増設装置の接続を変更することなくそのまま使用することが可能である。すなわち、表示器に縦置き又は横置きにあわせた接続構造、コネクタ結合部等を設ける必要がなく、縦置き、横置きいずれの場合でも増設装置が接続された表示器をそのまま使用することができる。これにより、縦置き横置きにあわせて数種類の増設装置と表示器を組み合わせた部品を用意しておく必要がなくなる。また、縦置きまたは横置きにあわせて接続を変更する場合、複数の接続部を設ける必要があるが、本発明では一つの接続部で足りるので、製造コストを抑制可能となる。また、縦置きまたは横置きにあわせて増設装置の接続を変更する必要がないので、縦置き横置きの変更が容易である。また、接続部等が一つですむので、余分な空間を必要とせず、製品の小型化が可能となる
【００５８】
以上の説明においては、表示器の上下方向の長さが、取付部材の弦の長さよりも長い場合を例示して説明したが、表示器の長さが取付部材の弦の長さと同じ場合には、取付部材の両端と表示器の両端の位置が同じであり、摺動時に緩衝することもないので、取付部材の位置を縦置き及び横置きに応じて変更す必要はない。
【００５９】
また、上述の実施形態出は、取付部材を表示器に対してねじ止め固定する例を示したが、フックや爪により固定する方法、スナップフィット、両面粘着テープによる接着等による周知の固定方法を用いて固定しても良い。このように、取付部材をねじ止め等により固定することにより、簡単な構造で確実かつ正確に平面表示器に固定することが可能となる。また爪、スナップフィットによる取り付けにより、取り付け部材の取り付け位置をきわめて容易に変更することが可能となる。
【００６０】
さらに、取付部材を表示器の裏面へねじ、爪等に固定するだけでなく、取付部材を表示器の裏面の上下に摺動可能に取り付けておき、装置本体を縦置きにするか横置きにするかに応じて、上側又は下側に移動させて固定するような構造とすることもできる。
【図面の簡単な説明】
【００６１】
【図１】本発明の一実施形態にかかるＰＯＳ端末装置を横置きにした状態を示す斜視図である。
【図２】（ａ）は図１のＰＯＳ端末装置本体から平面表示器を分離して示す分解斜視図であり、（ｂ）は、取付ガイドの拡大斜視図である。
【図３】図２（ａ）と同様の状態を斜め下方から見た分解斜視図である。
【図４】図１に示すＰＯＳ端末装置からキーボードを取り除き、正面底面方向から見た底面斜視図である。
【図５】本発明の一実施形態にかかる取付部材と、表示器の裏面の取り付け位置を例示する分解斜視図である。
【図６】角度調整レバーを移動させていない状態を示す断面図である。
【図７】角度調整レバーを矢印Ａ方向に移動させた状態を示す断面図である。
【図８】本発明の一実施形態にかかるＰＯＳ端末装置を横置きにした状態を示す側面図である。
【図９】横置きにしたＰＯＳ端末装置を摺動レール及びガイドレール部分を通る面で切断した状態を示す縦断面図である。
【図１０】図９の部分拡大図である。
【図１１】横置きにしたＰＯＳ端末装置を固定用爪及び固定歯を通る面で切断した状態を示す縦断面図である。
【図１２】図１１の部分拡大図である。
【図１３】図４に示す底面斜視図の状態から、ロック解除蓋を開いた状態を示す斜視図である。
【図１４】ロック解除蓋の裏面を示す斜視図である。
【図１５】ストッパ９０の斜視図である。
【図１６】ストッパが停止位置にある状態を示す部分断面図（端面図）である。
【図１７】ストッパが下方に下げられた解除位置に移動した状態を示す部分断面図（端面図）である。
【図１８】ストッパの取付部分を、図１６のＹ−Ｙ’線方向から切断した状態を示す部分端面図である。
【図１９】ストッパの取付部分を図１７のＺ−Ｚ’線方向から切断した状態を示す部分端面図である。
【図２０】図１のＰＯＳ端末装置を、縦置きにして設置した状態を示す斜視図である。
【図２１】図２０に示すＰＯＳ端末装置の左側面図である。
【図２２】図２０に示すＰＯＳ端末装置のガイドレール部分の縦断面図である。
【図２３】本発明の他の実施例にかかるＰＯＳ端末装置を底面方向から見た斜視図である。
【符号の説明】
【００６２】
１０  ＰＯＳ端末装置                    ２０  装置本体
２１  縦置き用補助具                    ２２  ストッパ保持部
３０  平面表示器                        ３２ａ〜３２ｄ、３３ａ〜３３ｄ  ねじ穴
３４  平面表示器の上端                  ３５  平面表示器の下端
４０  キーボード                        ４１  回動支点
４２  作用端部                          ４３  退避ロック部材
４４  バネ支持軸                        ４５  コイルバネ
４６  ロック部                          ４７  板バネ
４８  板バネ受けリブ                    ５０  取付部材
５１  突型の曲面                        ５２ａ、５２ｂ  摺動溝
５３ａ、５３ｂ  摺動レール              ５５ａ、５５ｂ  切り欠き
５６  固定用爪                          ５７ａ〜５７ｄ  ねじ
５８ａ〜５８ｄ  貫通孔                  ５９  確度調整レバー
６０、６１  取付部材の端部              ６５  滑落防止爪
７０  表示器取付部                      ７１  湾曲窪み部
７２ａ、７２ｂ  取付ガイド              ７３ａ、７３ｂ  ガイドレール
７４  固定歯                            ７６、７７  表示器取付部の端部
８０  ロック解除蓋                      ８１  ロック部材
８２ａ〜８２ｃ  蓋固定用フック          ９０  ストッパ
９１  解除レバー                        ９２  停止端
９３ａ、９３ｂ  隆起部
１００  他の実施形態にかかるＰＯＳ端末装置
１０４  操作部                          １０５  表示操作部
【図１】
2006317738.tif 000003
【図２】
2006317738.tif 000004
【図３】
2006317738.tif 000005
【図４】
2006317738.tif 000006
【図５】
2006317738.tif 000007
【図６】
2006317738.tif 000008
【図７】
2006317738.tif 000009
【図８】
2006317738.tif 000010
【図９】
2006317738.tif 000011
【図１０】
2006317738.tif 000012
【図１１】
2006317738.tif 000013
【図１２】
2006317738.tif 000014
【図１３】
2006317738.tif 000015
【図１４】
2006317738.tif 000016
【図１５】
2006317738.tif 000017
【図１６】
2006317738.tif 000018
【図１７】
2006317738.tif 000019
【図１８】
2006317738.tif 000020
【図１９】
2006317738.tif 000021
【図２０】
2006317738.tif 000022
【図２１】
2006317738.tif 000023
【図２２】
2006317738.tif 000024
【図２３】
2006317738.tif 000025